(57)【要約】【課題】付箋紙束の自由端が捲れ上がることを防止しつつ、付箋紙束の表面への安定した印刷を実行する印刷装置の提供。【解決手段】カバー部材１３８は、位置決め部１４１に保持された付箋紙束Ｍの表面よりも小さい開口を有し、当該開口から付箋紙束Ｍの表面の一部を露出させた状態で、付箋紙束Ｍの表面の外周を覆う。搬送ローラは、付箋紙トレイ１３３をプラテン１２０の上面に搬送することによって、付箋紙トレイ１３３に保持されている付箋紙束Ｍにおける、カバー部材１３８の開口から露出している表面を記録ヘッド１１４と対向する位置に搬送する。記録ヘッド１１４は、カバー部材１３８を挟んで付箋紙束Ｍの表面と対向する位置から、カバー部材１３８の開口から露出している付箋紙束Ｍの表面に向けてインクを噴射することにより、印刷を実行する。【選択図】図２
2006160475.tif 000002
【特許請求の範囲】
【請求項１】
裏面の一部に接着剤が塗布された付箋紙を積層して設けられた付箋紙束の表面に印刷する印刷装置であって、
前記付箋紙束を位置決めして保持する付箋紙トレイと、
前記付箋紙トレイに保持された前記付箋紙束の前記表面よりも小さい開口から前記付箋紙の前記表面の一部を露出させた状態で、前記付箋紙の表面の外周を覆うカバー部材と、
前記カバー部材を挟んで前記付箋紙束の前記表面と対向する位置において、前記開口から露出している前記付箋紙束の前記表面に印刷する記録ヘッドと、
前記付箋紙束を保持している前記付箋紙トレイを搬送することによって、前記付箋紙束における、前記カバー部材の前記開口から露出している前記表面を、前記記録ヘッドと対向する位置に搬送するトレイ駆動部と、
を備える印刷装置。
【請求項２】
前記付箋紙トレイは、前記付箋紙束の裏面を前記記録ヘッドの方向に付勢するホッパを有し、
前記カバー部材は、前記ホッパにより付勢される前記付箋紙束の前記表面の外周に当接し、前記付箋紙束の前記記録ヘッドからの距離を一定に保つ、請求項１に記載の印刷装置。
【請求項３】
裏面の一部に接着剤が塗布された付箋紙を積層して設けられた付箋紙束の表面に印刷する印刷装置に対して着脱可能に設けられる付箋紙トレイであって、
前記付箋紙束を位置決めして保持する位置決め部と、
前記位置決め部に保持された前記付箋紙束の前記表面よりも小さい開口から前記付箋紙の前記表面の一部を露出させた状態で、前記付箋紙の表面の外周を覆うカバー部材と
を有する付箋紙トレイ。
【請求項４】
裏面の一部に接着剤が塗布された付箋紙を積層して設けられた付箋紙束の表面に印刷する印刷装置であって、
前記付箋紙束の表面と対向する位置において、前記付箋紙束に印刷する記録ヘッドと、
前記記録ヘッドと対向した状態で往復移動可能に支持され、前記付箋紙束における接着剤が塗布されていない自由端を前記往復移動の一端側である下流側に向けた状態で前記付箋紙束を位置決めして保持する付箋紙トレイと、
前記記録ヘッドよりも前記下流側に設けられ、前記付箋紙束の前記表面が前記記録ヘッドと対向している状態で、前記記録ヘッドよりも前記下流側に位置する前記付箋紙束の前記表面を押さえる押さえ部材と、
前記押さえ部材が前記付箋紙束の前記自由端を押さえている場合の前記付箋紙トレイの位置を前記付箋紙トレイの前記往復移動の他端として前記付箋紙トレイを駆動するトレイ駆動部と
を備える印刷装置。
【請求項５】
前記付箋紙トレイは、前記付箋紙束の裏面を前記記録ヘッドの方向に付勢するホッパと、
前記付箋紙束の前記表面の端部に係止し、前記付箋紙束の前記記録ヘッドからの距離を一定に保つ係止部と
を有する、請求項４に記載の印刷装置。
【発明の詳細な説明】
【技術分野】
【０００１】
本発明は、裏面の一部に接着剤が塗布された付箋紙、付箋紙を積層して備える付箋束、及び付箋紙の表面に利用者が指定した印刷内容を印刷するための印刷装置、及びプログラムに関する。
【背景技術】
【０００２】
パソコンで指定する印刷内容を付箋紙に印刷するプリンタが提案されている。このプリンタは、付箋紙束から付箋紙を一枚ずつ剥がして搬送し、パソコンで指定された各種データを印刷する（例えば、特許文献１）。
【特許文献１】特開２００３−８１４５７号公報
【０００３】
一方、付箋紙束から付箋紙を一枚ずつ剥がすことなく、付箋紙束の表面に直接印刷し、印刷が完了した付箋紙束を排出するプリンタに対するニーズも高いと考えられる。
【発明の開示】
【発明が解決しようとする課題】
【０００４】
ところが、付箋紙束は、矩形の一端（以下、固定端と呼ぶ）が接着剤で固定されている一方で、他端（以下、自由端と呼ぶ）には接着剤がなく、自由に開放されている。このような構成上、付箋紙束は自由端が捲れやすく、プリンタの記録ヘッドと対向する位置まで付箋紙束を供給する場合に、付箋紙束の自由端が記録ヘッドの端部で捲れ上がり、紙詰まりの原因になり易いという課題があった。
【課題を解決するための手段】
【０００５】
上記課題を解決するために、本発明の第１の形態においては、裏面の一部に接着剤が塗布された付箋紙を積層して設けられた付箋紙束の表面に印刷する印刷装置であって、前記付箋紙束を位置決めして保持する付箋紙トレイと、前記付箋紙トレイに保持された前記付箋紙束の前記表面よりも小さい開口から前記付箋紙の前記表面の一部を露出させた状態で、前記付箋紙の表面の外周を覆うカバー部材と、前記カバー部材を挟んで前記付箋紙束の前記表面と対向する位置において、前記開口から露出している前記付箋紙束の前記表面に印刷する記録ヘッドと、前記付箋紙束を保持している前記付箋紙トレイを搬送することによって、前記付箋紙束における、前記カバー部材の前記開口から露出している前記表面を、前記印刷ヘッドと対向する位置に搬送するトレイ駆動部とを備える印刷装置が提供される。これにより、付箋紙束の自由端が捲れ上がることを防止しつつ、付箋紙束の表面への安定した印刷を実行することができる。
【０００６】
上記の印刷装置において、前記付箋紙トレイは、前記付箋紙束の裏面を前記ヘッドの方向に付勢するホッパを有し、前記カバー部材は、前記ホッパにより付勢される前記付箋紙束の前記表面の外周に当接し、前記付箋紙束の前記ヘッドからの距離を一定に保ってもよい。これにより、付箋紙束への印字精度が安定する。
【０００７】
本発明の第２の形態によれば、裏面の一部に接着剤が塗布された付箋紙を積層して設けられた付箋紙束の表面に印刷する印刷装置に対して着脱可能に設けられる付箋紙トレイであって、前記付箋紙束を位置決めして保持する位置決め部と、前記位置決め部に保持された前記付箋紙束の前記表面よりも小さい開口から前記付箋紙の前記表面の一部を露出させた状態で、前記付箋紙の表面の外周を覆うカバー部材とを有する付箋紙トレイが提供される。これにより、印刷装置内において付箋紙の表面に印刷可能な状態で、付箋紙が捲れることを防止することができる。
【０００８】
本発明の第３の形態によれば、裏面の一部に接着剤が塗布された付箋紙を積層して設けられた付箋紙束の表面に印刷する印刷装置であって、前記付箋紙束の表面と対向する位置において、前記付箋紙束に印刷するヘッドと、前記ヘッドと対向した状態で往復移動可能に支持され、前記付箋束における接着剤が塗布されていない自由端を前記往復移動の一端側である下流側に向けた状態で前記付箋紙束を位置決めして保持する付箋紙トレイと、前記ヘッドよりも前記下流側に設けられ、前記付箋紙束の前記表面が前記ヘッドと対向している状態で、前記ヘッドよりも前記下流側に位置する前記付箋紙束の前記表面を押さえる押さえ部材と、前記押さえ部材が前記付箋紙束の前記自由端を押さえている場合の前記付箋紙トレイの位置を前記付箋紙トレイの前記往復移動の他端として前記付箋紙トレイを駆動するトレイ駆動部とを備える印刷装置が提供される。これにより、付箋紙束の自由端が捲れ上がることを防止しつつ、付箋紙束の表面への安定した印刷を実行することができる。
【０００９】
上記の印刷装置において、前記付箋紙トレイは、前記付箋紙束の裏面を前記ヘッドの方向に付勢するホッパと、前記付箋紙束の前記表面の端部に係止し、前記付箋紙束の前記ヘッドからの距離を一定に保つ係止部とを有してもよい。これにより、付箋紙束の表面をヘッドに対して一定の距離に保つことができる。
【００１０】
なお、上記の発明の概要は、本発明の必要な特徴の全てを列挙したものではなく、これらの特徴群のサブコンビネーションもまた、発明となりうる。
【発明を実施するための最良の形態】
【００１１】
以下、発明の実施の形態を通じて本発明を説明するが、以下の実施形態は特許請求の範囲にかかる発明を限定するものではなく、また実施形態の中で説明されている特徴の組み合わせの全てが発明の解決手段に必須であるとは限らない。
【００１２】
図１は、本実施形態に係る印刷システム３００の構成を示す。印刷システム３００は、ホスト・コンピュータ２００と、印刷装置の一例であるプリンタ１００とを備える。プリンタ１００は、付箋紙を積層して設けられた付箋紙束を保持している。ホスト・コンピュータ２００は、プリンタ１００に保持されている付箋紙束の表面に利用者が指定した印刷内容を印刷するための印刷データをプリンタ１００に出力する。プリンタ１００は、ホスト・コンピュータ２００から出力される印刷データを、保持している付箋紙束に印刷する。尚、本実施形態において、接着剤とは、二つの物を貼り合せるのに用いる物質を意味し、接着力は問わない。例えば、後で剥がすことができ、一時的な接着に用いる粘着剤などの物質と、より強力に、半永久的な接着に用いる物質とを含む。プリンタ１００はボックス形の形状を成し、ボックス形のハウジング１０３の前面にフロントカバー１０８が設けられている。フロントカバー１０８は、手前側に向けて開いた状態（使用状態：図示せず）と図示する様に閉じた状態（非使用状態）とを回動自在に設けられ、開いた状態では、付箋紙束を保持する付箋紙トレイ１３３（図２及び図５参照）の出し入れ動作が可能となる。フロントカバー１０８の上方にはインクカートリッジユニット１１５が設けられ、該インクカートリッジユニット１１５には、複数のインクカートリッジ１１６（図３参照）がプリンタ１００の幅方向に並んで着脱自在に設けられている。
【００１３】
図２、図３、及び図４は、プリンタ１００の内部構造に関する第１実施例を示す。図２は、外部ハウジング１０３を取り外した状態におけるプリンタ１００の外観斜視図を示す。図３は、プリンタ１００の側断面概略図を示す。図４は、図３における付箋紙トレイ１３３の部分拡大図である。図２において、プリンタ１００の装置本体は、下部シャーシ１０４と、装置本体の幅方向（主走査方向）に延びるメインフレーム１０５と、該メインフレーム１０５の両側に立設される、装置本体の奥行き方向（副走査方向）に平行なサイドフレーム右１０６及びサイドフレーム左１０７とによって、その基体が構成されている。サイドフレーム右１０６とサイドフレーム左１０７との間には主走査方向に延びる主キャリッジガイド軸１１１と副キャリッジガイド軸１１２とが副走査方向に所定の間隔を置いて軸支されている。
【００１４】
主キャリッジガイド軸１１１及び副キャリッジガイド軸１１２はキャリッジ１１３を主走査方向にガイドする為のガイド軸である。主キャリッジガイド軸１１１はキャリッジ１１３の後部を挿通し、副キャリッジガイド軸１１２はキャリッジ１１３の前部を下から支持する。これによって記録ヘッド１１４の上下方向の位置が規定される。キャリッジ１１３にはインクカートリッジが搭載されておらず、キャリッジ１１３の主走査領域の上方に複数のインクカートリッジ１１６が、主走査方向に並んで着脱自在に配設されている。そして、図示を省略するインクチューブを介してキャリッジ１１３へとインクが供給される様になっている。
【００１５】
付箋紙トレイ１３３は、付箋紙束Ｍを主走査方向及び副走査方向と平行に位置決めして保持する。付箋紙トレイ１３３は、位置決め部１４１（図３）とカバー部材１３８を有する。位置決め部１４１は、付箋紙トレイ１３３の上面に設けられ、付箋紙束Ｍの外周とほぼ同等の大きさを有する窪みである。付箋紙束Ｍは位置決め部１４１において位置決めして保持される。カバー部材１３８は、位置決め部１４１に保持された付箋紙束Ｍの表面よりも小さい開口を有し、当該開口から付箋紙束Ｍの表面の一部を露出させた状態で、付箋紙束Ｍの表面の外周を覆う。カバー部材１３８は、樹脂製のプレートであり、付箋紙トレイ１３３に対して着脱可能に設けられる。付箋紙束Ｍの位置決め部１４１への装填及び取り出しは、付箋紙トレイ１３３からカバー部材１３８を外した状態で行う。本実施例の付箋紙トレイ１３３は、位置決め部１４１の上流側、即ち図３に示したプリンタ１００の左側に接着剤の方向を向け、さらに裏面、つまり台紙側を下側に向けて、付箋紙束Ｍを装填するように定められている。付箋紙トレイ１３３には、付箋紙束Ｍを上述の向きで装填するように指示する装填方向表示１３４が設けられている。
【００１６】
図４に示すように、付箋紙トレイ１３３は、カバー部材１３８の外周の一部に係止してカバー部材１３８の上下位置を固定するトレイ側係止部１４２を有する。トレイ側係止部１４２は、カバー部材１３８の外周の複数の箇所を係止する。付箋紙トレイ１３３における位置決め部１４１の底部には、ホッパ１３９が設けられている。ホッパ１３９は、位置決め部１４１の内部を上下に平行移動可能に保持されており、下面を弾性部材１４０によって上方に付勢されている。このような構成により、ホッパ１３９は、付箋紙束Ｍの下面を記録ヘッド１１４の方向、即ち上方に付勢する。カバー部材１３８は、ホッパ１３９により記録ヘッド１１４の方向に付勢される付箋紙束Ｍの表面の外周に当接することによって、付箋紙束Ｍの記録ヘッド１１４からの距離を一定に保つ。
【００１７】
記録ヘッド１１４の上流側（図３左側）には、搬送駆動ローラ１２１と搬送従動ローラ１２２とが設けられる。搬送駆動ローラ１２１は、搬送用モータ１６４（以下、ＰＦモータ１６４と呼ぶ、図８参照）によって回転駆動される。搬送従動ローラ１２２は、被搬送物に接して従動回転する。以下、搬送駆動ローラ１２１及び搬送従動ローラ１２２を合わせて「搬送ローラ」という。当該搬送ローラが、付箋紙トレイ１３３をニップした状態で、搬送駆動ローラ１２１が回転駆動されることにより、付箋紙トレイ１３３は記録ヘッド１１４の下方で副走査方向に搬送される。搬送駆動ローラ１２１の下流側において、記録ヘッド１１４とプラテン１２０とが上下に対向する様に設けられている。搬送ローラは、付箋紙トレイ１３３をプラテン１２０の上面に搬送することによって、付箋紙トレイ１３３に保持されている付箋紙束Ｍにおける、カバー部材１３８の開口から露出している表面を記録ヘッド１１４と対向する位置に搬送する。記録ヘッド１１４は、カバー部材１３８を挟んで付箋紙束Ｍの表面と対向する位置から、カバー部材１３８の開口から露出している付箋紙束Ｍの表面に向けてインクを噴射することにより、印刷を実行する。
【００１８】
記録ヘッド１１４の下流側にはＰＦモータ１６４によって回転駆動される排出駆動ローラ１２３と該ローラと対向して従動回転する排出従動ローラ１２４とが設けられている。排出駆動ローラ１２３及び排出従動ローラ１２４によって付箋紙トレイ１３３をニップし、さらに排出駆動ローラ１２３を回転駆動することにより、付箋紙束Ｍを出し入れ可能な位置まで付箋紙トレイ１３３を排出する。
【００１９】
付箋紙トレイ１３３の側端にはラック１３７（図２参照）が形成され、該ラック１３７と噛合する図示しないピニオン歯車の回動により、ほぼ水平に真っ直ぐに移動できる様に構成されている。そして、付箋紙トレイ１３３は、前記ピニオン歯車の回動によってトレイ先端が搬送駆動ローラ１２１と搬送従動ローラ１２２とにニップされるまで搬送された後、以降は搬送駆動ローラ１２１の回転による駆動力を受けて、下流方向或いは上流方向に送られる。また、付箋紙束Ｍの装填時或いは取り出し時には、搬送駆動ローラ１２１の回転による駆動力を受けて図２の仮想線で示す位置（排出位置）まで送られる。尚、この様な付箋紙トレイ１３３の出し入れ操作は、トレイＳＷ１３６（図８）を押下することによって実行される。
【００２０】
以上のように構成されたプリンタ１００は、カバー部材１３８が付箋紙束Ｍの表面の外周を覆うので、付箋紙束Ｍの自由端が捲れ上がることがない。従って、付箋紙束Ｍを記録ヘッド１１４と対向する位置に供給する場合に、付箋紙束Ｍの自由端が捲れて紙詰まりを起こすことがない。これにより、付箋紙束Ｍの表面への印刷を安定して実行することができる。
【００２１】
図５、図６、及び図７は、プリンタ１００の内部構造に関する第２実施例を示す。図５は、外部ハウジング１０３を取り外した状態におけるプリンタ１００の外観斜視図を示す。図６は、プリンタ１００の側断面概略図を示す。図７は、図６における付箋紙トレイ１３３の部分拡大図である。本実施例のプリンタ１００は、第１実施例におけるカバー部材１３８に代えて、押さえ部材１４３を有する点が第１実施例と異なる。その他の点は第１実施例と同様なので説明を省略する。本実施例の付箋紙トレイ１３３は、記録ヘッド１１４と対向した状態で副走査方向に往復移動可能に支持され、付箋紙束Ｍの自由端を下流側に向けた状態で付箋紙束Ｍを位置決めして保持する。
【００２２】
押さえ部材１４３は、記録ヘッド１１４よりも下流側に設けられ、付箋紙束Ｍの表面が記録ヘッド１１４と対向している状態で、付箋紙束Ｍの表面における記録ヘッド１１４よりも下流側を押さえる。押さえ部材１４３は、例えば主走査方向に関する位置決め部１４１の幅よりもわずかに短い円筒状のローラ部と、ローラ部を貫通する軸部とを含む。ローラ部は、軸部を中心に回転自在に支持されていてもよいし、軸部に対して固定されていてもよい。軸部に対して固定される場合は、ローラ部の表面はフッ素樹脂やポリアセタール等の滑りのある材質で形成されることが望ましい。あるいは、押さえ部材１４３は、付箋紙トレイ１３３の幅に渡りフラットに形成されていてもよい。この場合、位置決め部１４１の大きさに関わらず押さえ部材１４３を共用することができる。押さえ部材１４３の軸部は、サイドフレーム右１０６とサイドフレーム左１０７によって主キャリッジガイド軸１１１と平行に支持される。搬送駆動ローラ１２１は、押さえ部材１４３が付箋紙束Ｍの自由端、即ち下流側の端部を押さえている場合の付箋紙トレイ１３３の位置を、付箋紙トレイ１３３の往復移動における上流側の端部として付箋紙トレイ１３３を駆動する。従って、付箋紙束Ｍの自由端が押さえ部材１４３よりも上流側に移動して自由端が捲れ上がることがない。これにより、付箋紙束Ｍの自由端が記録ヘッド１１４に引っかかることなく、付箋紙束Ｍの表面への安定した印刷を実行することができる。
【００２３】
付箋紙トレイ１３３はさらに、付箋紙束Ｍの裏面を記録ヘッド１１４の方向に付勢するホッパ１３９と、付箋紙束Ｍの表面の上流側の端部、即ち固定端の表面に係止し、付箋紙束Ｍの記録ヘッド１１４からの距離を一定に保つトレイ側係止部１４４とを有する。従って、トレイ側係止部１４４と押さえ部材１４３とにより、付箋紙Ｍの表面と記録ヘッド１１４との距離を一定に保つことができ、印字品質が向上する。さらに、記録ヘッド１１４よりも下流側に押さえ部材１４３を設けることにより、付箋紙束Ｍと記録ヘッド１１４との距離を縮めることができる。これにより印字精度が向上し、インクミスとの飛散を低減することができる。
【００２４】
図８は、プリンタ１００の機能構成を示すブロック図である。制御部１５０は、プリンタ１００に印刷情報を送信するホスト・コンピュータ２００との間でデータの送受信が可能に構成され、ホスト・コンピュータ２００とのインタフェース（ＩＦ）１５１と、ＡＳＩＣ１５２、ＲＡＭ１５３、ＰＲＯＭ１５４、ＥＥＰＲＯＭ１５５、ＣＰＵ１５６、タイマＩＣ１５７、ＤＣユニット１５８、搬送モータ（ＰＦモータ）ドライバ１６１、キャリッジモータ（ＣＲモータ）ドライバ１６０、ヘッドドライバ１５９を備えている。ＣＰＵ１５６はプリンタ１００の制御プログラムを実行する為の演算処理やその他必要な演算処理を行い、タイマＩＣ１５７は、ＣＰＵ１５６に対して各種処理に必要な周期的な割り込み信号を発生させる。ＡＳＩＣ１５２は、ホスト・コンピュータ２００からＩＦ１５１を介して送信される印刷データに基づいて印刷解像度や記録ヘッド１１４の駆動波形等を制御する。ＲＡＭ１５３は、ＡＳＩＣ１５２およびＣＰＵ１５６の作業領域や他のデータの１次格納領域として用いられ、ＰＲＯＭ１５４およびＥＥＰＲＯＭ１５５には、プリンタ１００を制御する為に必要な制御プログラム（ファームウェア）および処理に必要なデータが格納されている。
【００２５】
ＤＣユニット１５８は、ＤＣモータ（ＣＲモータ１６３及びＰＦモータ１６４）の速度制御を実行する。ＤＣユニット１５８は、不図示のＰＩＤ制御部、加速制御部、ＰＷＭ制御回路等を有している。ＤＣユニット１５８は、ＣＰＵ１５６から送られてくる制御命令と、ロータリエンコーダ１６８、リニアエンコーダ１９２、紙検出器１１９、及びＰＷセンサ１２７等の検出手段からの出力信号を受信する。そしてＣＰＵ１５６からの制御命令と、上記検出手段からの出力信号とに基づいてＤＣモータの速度を制御する制御パラメータを計算し、計算した制御パラメータをＣＲモータドライバ１６０及びＰＦモータドライバ１６１に送信する。
【００２６】
ＰＦモータドライバ１６１は、ＤＣユニット１５８の制御の下、ＰＦモータ１６４を駆動制御する。ＰＦモータ１６４は、本実施形態においては複数の駆動対象、即ち、搬送駆動ローラ１２１、排出駆動ローラ１２３を回動させ、更に、付箋紙トレイ１３３の側端に形成されたラック１３７（図２参照）と噛合するピニオン歯車（図示せず）を回転駆動して、付箋紙トレイ１３３の送りを実行する。プーリ１９１は無端ベルトを介してＰＦモータ１６４によって回動駆動される。プーリ１９１は軸１６７を回動軸とする歯車１７０と一体に形成され、歯車１７０は、搬送駆動ローラ１２１の軸端に取り付けられた歯車１７１と噛合する。これにより、ＰＦモータ１６４の動力が搬送駆動ローラ１２１に伝達される。尚、ＰＦモータドライバ１６１、ＰＦモータ１６４、搬送駆動ローラ１２１、搬送従動ローラ１２２、排出駆動ローラ１２３、プーリ１９１、軸１６７、歯車１７０、歯車１７１、ロータリエンコーダ１６８、ＤＣユニット１５８、及びＣＰＵ１５６は、本発明のトレイ駆動部の一例である。
【００２７】
ＣＲモータドライバ１６０は、ＤＣユニット１５８の制御の下、ＣＲモータ１６３を駆動制御することによりキャリッジ１１３を主走査方向に往復動させ、または停止・保持させる。ヘッドドライバ１５９は、ＣＰＵ１５６の制御の下、ホスト・コンピュータ２００から送信された印刷データに従って記録ヘッド１１４を駆動制御する。
【００２８】
紙検出器１１９は、図２に示した第１実施例におけるカバー部材１３８の開口、又は図５に示した第２実施例における付箋紙束Ｍの外形を検出する。ロータリエンコーダ１６８は、ＰＦモータ１６４の回転量、回転方向、及び回転速度を検出する。リニアエンコーダ１９２は、キャリッジ１１３の主走査方向における絶対位置を検出する。ＰＷセンサ１２７は、付箋紙トレイ１３３に設けられた不図示のスケールを認識することにより、付箋紙トレイ１３３の送り方向位置を検出する。
【００２９】
ロータリエンコーダ１６８は、プーリ１９１に取り付けられる円盤状スケール１６８ｂと、透光部１６８ｃに対して発光する発光部（図示せず）および透光部を通過した光を受光する受光部（図示せず）を含む検出部１６８ａとを有している。円盤状スケール１６８ｂは、外周部に多数の透光部１６８ｃを有する。円盤状スケール１６８ｂが回動すると、検出部１６８ａは透光部１６８ｃを通過する光によって形成される立ち上がり信号と立ち下がり信号とを出力する。制御部１５０は、ロータリエンコーダ１６８からの出力信号を受信することによって、搬送駆動ローラ１２１の回転量、回転速度、回転方向を検出する。これにより、制御部１５０は、付箋紙トレイ１３３の送り制御を実行する。
【００３０】
続いて、リニアエンコーダ１９２は、主走査方向に長い符号板（図示せず）と、該符号板において主走査方向に複数形成された透光部（図示せず）に対して発光する発光部（図示せず）と、前記透光部を通過した光を受光する受光部（図示せず）とを有する。リニアエンコーダ１９２は、前記透光部を通過する光によって形成される立ち上がり信号と立ち下がり信号とを出力し、キャリッジ１１３の主走査方向における絶対位置を検出する。
【００３１】
制御部１５０は、電源ＳＷ１３５およびトレイＳＷ１３６からの信号を更に取得する。電源ＳＷ１３５はプリンタ１００を休止状態（電源オフ状態）にするための操作スイッチであり、トレイＳＷ１３６は付箋紙トレイ１３３を出し入れするための操作スイッチである。これらのスイッチが押下されると、当該押下されたことを示す信号が制御部１５０へと送信され、プリンタ１００の状態に応じて異なる制御が実行される。例えば、付箋紙トレイ１３３が付箋紙束Ｍの出し入れ位置まで排出されている状態で電源ＳＷ１３５が押下されると制御部１５０は、ＰＦモータ１６４を駆動して付箋紙トレイ１３３をプリンタ１００の内部に格納した後に休止状態に移行する。付箋紙トレイ１３３がプリンタ１００に格納されている状態でトレイＳＷ１３６が押下されると制御部１５０は、ＰＦモータ１６４を駆動して付箋紙束Ｍの出し入れ位置まで付箋紙トレイ１３３を排出する。
【００３２】
以上、本発明を実施の形態を用いて説明したが、本発明の技術的範囲は上記実施の形態に記載の範囲には限定されない。上記実施の形態に、多様な変更または改良を加えることが可能であることが当業者に明らかである。その様な変更または改良を加えた形態も本発明の技術的範囲に含まれ得ることが、特許請求の範囲の記載から明らかである。
【図面の簡単な説明】
【００３３】
【図１】本実施形態に係る印刷システム３００の構成を示す図である。
【図２】プリンタ１００の内部構造に関する第１実施例を示す斜視図である。
【図３】図２のプリンタ１００を付箋紙トレイ１３３の搬送方向に切断した場合の断面図である。
【図４】図３における付箋紙トレイ１３３の拡大図である。
【図５】プリンタ１００の内部構造に関する第２実施例を示す斜視図である。
【図６】図５のプリンタ１００を付箋紙トレイ１３３の搬送方向に切断した場合の断面図である。
【図７】図６における付箋紙トレイ１３３の拡大図である。
【図８】プリンタ１００の機能構成を示すブロック図である。
【符号の説明】
【００３４】
１００  プリンタ、１１４  記録ヘッド、１２０  プラテン、１２１  搬送駆動ローラ、１２２  搬送従動ローラ、１３３  付箋紙トレイ、１３４  装填方向表示、１３８  カバー部材、１３９  ホッパ、１４０  弾性部材、１４１  位置決め部、１４２、１４４  トレイ側係止部、１４３  押さえ部材、２００  ホスト・コンピュータ、３００  印刷システム、Ｍ  付箋紙束Ｍ
【図１】
2006160475.tif 000003
【図２】
2006160475.tif 000004
【図３】
2006160475.tif 000005
【図４】
2006160475.tif 000006
【図５】
2006160475.tif 000007
【図６】
2006160475.tif 000008
【図７】
2006160475.tif 000009
【図８】
2006160475.tif 000010